(57)【要約】【課題】  番組放映中に挿入されるコマーシャル時間を文字又は音声などにより報知することが出来る、実用性に優れたコマーシャル時間報知手段を備えた電子機器を提供する。【解決手段】  放送電波をチューナー３受信して映像音声処理部４から映像信号を表示部５に、音声信号をスピーカー６に出力するテレビ１には、コマーシャルの映像信号や音声信号からＣＭ  ＩＤを検出するＣＭ検出処理部１４と、コマーシャル時間Ｔを算出する計時処理部１８と、コマーシャル時間Ｔデータを記憶する不揮発メモリ９と、コマーシャル時間Ｔの文字と音声による報知を制御する報知処理部２０と、コマーシャル時間ＴのＯＳＤ表示処理を行なう表示制御部１９とを配置して制御部２１が全体を制御することによりコマーシャル時間Ｔを文字と音声により報知する。【選択図】      図１
2006180114.tif 000002
【特許請求の範囲】
【請求項１】
受信した放送電波を映像音声信号に処理するチューナーと、前記映像音声信号を表示可能に処理する映像音声処理部と、これら処理部を制御するマイコンと、マイコンの初期値や機器のチャンネルや音声など各データを記憶するメモリとを備えた電子機器において、前記マイコンには、リモコン送信機又は前記電子機器本体に配置された操作キーからの各キーコード入力の受付処理を行なうと共に各キーコードを判別して制御部に伝達するキー処理部と、このキー処理部からのデータに従い電子機器全体の動作制御やマイコン内の各処理部を制御する制御部と、受信した映像信号や音声信号の中からコマーシャルを受信しているか否かを検出するＣＭ検出処理部と、常に現在時刻を計時すると共に前記電子機器の各動作時間のカウント及び前記ＣＭ検出処理部で検出したコマーシャル部分の時間をカウントしてコマーシャル時間を算出する計時処理部と、文字報知と音声報知を制御してコマーシャル時間を文字又は音声などで報知させる報知処理部とを備えたことを特徴とするコマーシャル時間報知手段を備えた電子機器。
【請求項２】
前記マイコンには、各放送局の番組データをＥＰＧデータから入手して制御し、且つＥＰＧデータに含まれるコマーシャル情報を抽出するデータ検出処理部を備え、このデータ検出処理部と前記報知処理部によりコマーシャル時間を報知するように構成したことを特徴とする請求項１記載のコマーシャル時間報知手段を備えた電子機器。
【請求項３】
前記ＣＭ検出処理部は、前記計時処理部からのデータに基づいて所定の期間における視聴者の視聴時間帯や視聴時間など、視聴者の嗜好に基づいて累積した視聴番組のコマーシャル時間データを算出し、これをコマーシャル時間として報知することを特徴とする請求項１または２記載のコマーシャル時間報知手段を備えた電子機器。
【請求項４】
前記マイコン部には、センサにより前記電子機器の近傍に視聴者が居るか否かを検出するセンサ検出処理部を備え、該センサ検出処理部からのデータにより前記報知処理部が報知の制御を行なうことを特徴とする請求項１から３の何れかに記載のコマーシャル時間報知手段を備えた電子機器。
【請求項５】
前記電子機器には録画再生機能を備えてあり、前記コマーシャル時間を記録媒体に記憶させると共に、前記記録媒体を再生する時はコマーシャルの度に前記コマーシャル時間を報知させることを特徴とする請求項１から４の何れかに記載のコマーシャル時間報知手段を備えた電子機器。
【発明の詳細な説明】
【技術分野】
【０００１】
本発明は、記録再生装置や表示装置などにおいてチューナー受信が可能でＯＳＤ（Ｏｎ  Ｓｃｒｅｅｎ  Ｄｉｓｐｌａｙ）表示手段を備えた電子機器に関する。
【背景技術】
【０００２】
従来から、放送局から放送されたコマーシャル（ＣＭ）をコマーシャル識別用のＣＭ  ＩＤデータを挿入して確認できる装置として特許文献１には「ＴＶコマーシャル放送チェック用信号挿入方法及びシステム並びにＴＶコマーシャル放送チェック方法及びシステム」などがあり、この従来技術によれば、ＴＶコマーシャル放送チェックシステムのエンコーダにより、ＴＶコマーシャル放送信号の１フレームを構成する第１、第２フィールド中で各フィールドの垂直・水平ブランキング期間を除いて一方又は両方のコマーシャル映像信号の先頭ライン近傍又は最終ライン近傍に、ＴＶコマーシャル識別用のＣＭ  ＩＤデータを挿入する方法が提案されている。
【０００３】
また、コマーシャルを簡単に検出することが出来る装置として特許文献２には「コマーシャル部分認識方法及びそのプログラム記録媒体」などがあり、この従来技術によれば、認識対象コマーシャルの時間長（例えば１５秒、３０秒）を記憶手段に記憶しておき、放送受信信号中の音響信号を６０ミリ秒の窓をかけて平均音量値を計算し、その窓を１０ミリ秒ずつ移動しながら計算し、その平均パワー値の常用対数値の２０倍を平均音量値とし、平均音量値が連続して１００ミリ秒間より低下した時刻をブランクとして検出し、このブランクはコマーシャルと番組の境界に生じ、よってブランクの間隔と記憶したコマーシャル時間長とを照合し、一致すればそのブランクの間がコマーシャル部分として出力する方法が提案されている。
【０００４】
【特許文献１】特開平１１−６９３２２号公報
【特許文献２】特開２０００−３２２０７６号公報
【発明の開示】
【発明が解決しようとする課題】
【０００５】
前述の従来技術において、例えば特許文献１においては、放送局から放送されるコマーシャルメッセージが正規に放送されているかを番組のスポンサーがチェック可能とする方法であり、コマーシャル放送におけるミスを自動的に検出することが出来るものである。また、特許文献２においてはコマーシャルを検出するときに音声多重のパイロット信号を利用することが出来ない場合でも確実にコマーシャル検出が可能な装置であるが、これらはコマーシャルの検出を行なっても用途が異なることにより視聴者にコマーシャル時間の報知を行なう装置ではない。従って従来においては、一般の視聴者が番組を視聴中にコマーシャル時間となり、このコマーシャル時間を利用して可能な用事を済ませたい時に、予めコマーシャル時間がどれくらいであるか否かとか、放映番組への切り換わるタイミングも分かりにくく、コマーシャル中に用事を済ませて戻ったら既にコマーシャルが終了して番組放映が始まっており再開された番組放映の最初を見逃してしまったといった問題があった。また、コマーシャル中に他チャンネルの番組が気になりチャンネルの切換えを行なったが、暫くして元のチャンネルに戻したら前述のようにコマーシャルが終了して番組放映が始まっており再開された番組放映の最初を見逃していたなどの問題もあった。本発明は、コマーシャルの時間を利用して可能な用事を済ませたい時などに、コマーシャルの所要時間を表示するとか、視聴者が前記電子機器の前から離れたときは音声で報知することなどにより、視聴者が用事を行なう目安とすることが出来て使い勝手を向上することが出来るコマーシャル時間報知手段を備えた電子機器を得るものである。
【課題を解決するための手段】
【０００６】
請求項１のコマーシャル時間報知手段を備えた電子機器は、受信した放送電波を映像音声信号に処理するチューナーと、前記映像音声信号を表示可能に処理する映像音声処理部と、これら処理部を制御するマイコンと、マイコンの初期値や機器のチャンネルや音声など各データを記憶するメモリとを備えた電子機器において、前記マイコンには、リモコン送信機又は前記電子機器本体に配置された操作キーからの各キーコード入力の受付処理を行なうと共に各キーコードを判別して制御部に伝達するキー処理部と、このキー処理部からのデータに従い電子機器全体の動作制御やマイコン内の各処理部を制御する制御部と、受信した映像信号や音声信号の中からコマーシャルを受信しているか否かを検出するＣＭ検出処理部と、常に現在時刻を計時すると共に前記電子機器の各動作時間のカウント及び前記ＣＭ検出処理部で検出したコマーシャル部分の時間をカウントしてコマーシャル時間を算出する計時処理部と、文字報知と音声報知を制御してコマーシャル時間を文字又は音声などで報知させる報知処理部とを備えたことを特徴とする。
【０００７】
請求項１の構成によれば、受信した放送電波を映像音声信号に処理するチューナーと、前記映像音声信号を表示可能に処理する映像音声処理部と、これら処理部を制御するマイコンと、マイコンの初期値や機器のチャンネルや音声など各データを記憶するメモリとを備えた電子機器において、前記マイコンには、リモコン送信機又は前記電子機器本体に配置された操作キーからの各キーコード入力の受付処理を行なうと共に各キーコードを判別して制御部に伝達するキー処理部と、このキー処理部からのデータに従い電子機器全体の動作制御やマイコン内の各処理部を制御する制御部と、受信した映像信号や音声信号の中からコマーシャルを受信しているか否かを検出するＣＭ検出処理部と、常に現在時刻を計時すると共に前記電子機器の各動作時間のカウント及び前記ＣＭ検出処理部で検出したコマーシャル部分の時間をカウントしてコマーシャル時間を算出する計時処理部と、文字報知と音声報知を制御してコマーシャル時間を文字又は音声などで報知させる報知処理部とを備えたことにより、前記マイコン内に備えた制御部の全体制御により、前記ＣＭ検出処理部が放送信号に挿入されたコマーシャルの開始と終了を検出して、これをもとに前記計時処理部がコマーシャル時間を算出し、報知処理部が文字報知と音声報知を制御してコマーシャル時間を文字又は音声などにより報知させることが出来る。
【０００８】
請求項２のコマーシャル時間報知手段を備えた電子機器は、請求項１記載のコマーシャル時間報知手段を備えた電子機器において、前記マイコンには、各放送局の番組データをＥＰＧデータから入手して制御し、且つＥＰＧデータに含まれるコマーシャル情報を抽出するデータ検出処理部を備え、このデータ検出処理部と前記報知処理部によりコマーシャル時間を報知するように構成したことを特徴とする。
【０００９】
請求項２の構成によれば、前記マイコンには、各放送局の番組データをＥＰＧデータから入手して制御し、且つＥＰＧデータに含まれるコマーシャル情報を抽出するデータ検出処理部を備え、このデータ検出処理部と前記報知処理部によりコマーシャル時間を報知するように構成したことにより、前記マイコン内に備えたデータ検出処理部により、各放送局の番組データをＥＰＧデータから入手して制御し、ＥＰＧデータに含まれるコマーシャル情報を抽出して、このデータ検出部と前記報知処理部によりコマーシャル時間を報知することが出来る。
【００１０】
請求項３のコマーシャル時間報知手段を備えた電子機器は、請求項１または２記載のコマーシャル時間報知手段を備えた電子機器において、前記ＣＭ検出処理部は、前記計時処理部からのデータに基づいて所定の期間における視聴者の視聴時間帯や視聴時間など、視聴者の嗜好に基づいて累積した視聴番組のコマーシャル時間データを算出し、これをコマーシャル時間として報知することを特徴とする。
【００１１】
請求項３の構成によれば、前記ＣＭ検出処理部は、前記計時処理部からのデータに基づいて所定の期間における視聴者の視聴時間帯や視聴時間など、視聴者の嗜好に基づいて累積した視聴番組のコマーシャル時間データを算出し、これをコマーシャル時間として報知することにより、前記計時処理部からのデータに基づいて、前記ＣＭ検出処理部は所定の期間における視聴者の視聴時間帯や視聴時間など、視聴者の嗜好に基づいて累積した視聴番組のコマーシャル時間データを算出し、これをコマーシャル時間として報知することが出来る。
【００１２】
請求項４のコマーシャル時間報知手段を備えた電子機器は、請求項１から３の何れかに記載のコマーシャル時間報知手段を備えた電子機器において、前記マイコン部には、センサにより前記電子機器の近傍に視聴者が居るか否かを検出するセンサ検出処理部を備え、該センサ検出処理部からのデータにより前記報知処理部が報知の制御を行なうことを特徴とする。
【００１３】
請求項４の構成によれば、前記マイコン部には、センサにより前記電子機器の近傍に視聴者が居るか否かを検出するセンサ検出処理部を備え、該センサ検出処理部からのデータにより前記報知処理部が報知の制御を行なうことにより、前記センサ検出処理部が電子機器の近傍に視聴者が居るか否かを検出し、前記報知処理部が前記センサ検出処理部からのデータにより報知の制御を行なうことが出来る。
【００１４】
請求項５のコマーシャル時間報知手段を備えた電子機器は、請求項１から４の何れかに記載のコマーシャル時間報知手段を備えた電子機器において、前記電子機器には録画再生機能を備えてあり、前記コマーシャル時間を記録媒体に記憶させると共に、前記記録媒体を再生する時はコマーシャルの度に前記コマーシャル時間を報知させることを特徴とする。
【００１５】
請求項５の構成によれば、前記電子機器には録画再生機能を備えてあり、前記コマーシャル時間を記録媒体に記憶させると共に、前記記録媒体を再生する時はコマーシャルの度に前記コマーシャル時間を報知させることにより、前記電子機器に備えた録画再生機能は、前記コマーシャル時間を記録媒体に記憶させると共に、前記記録媒体を再生する時はコマーシャルの度に前記コマーシャル時間を報知させることが出来る。
【発明の効果】
【００１６】
請求項１の発明によれば、このコマーシャル時間報知手段を備えた電子機器には、受信した放送電波を映像音声信号に処理するチューナーと、前記映像音声信号を表示可能に処理する映像音声処理部と、これら処理部を制御するマイコンと、マイコンの初期値や機器のチャンネルや音声など各データを記憶するメモリとを備えた電子機器において、前記マイコンには、リモコン送信機又は前記電子機器本体に配置された操作キーからの各キーコード入力の受付処理を行なうと共に各キーコードを判別して制御部に伝達するキー処理部と、このキー処理部からのデータに従い電子機器全体の動作制御やマイコン内の各処理部を制御する制御部と、受信した映像信号や音声信号の中からコマーシャルを受信しているか否かを検出するＣＭ検出処理部と、常に現在時刻を計時すると共に前記電子機器の各動作時間のカウント及び前記ＣＭ検出処理部で検出したコマーシャル部分の時間をカウントしてコマーシャル時間を算出する計時処理部と、文字報知と音声報知を制御してコマーシャル時間を文字又は音声などで報知させる報知処理部とを備えたことにより、前記マイコン内に備えた制御部の全体制御により、前記ＣＭ検出処理部が放送信号に挿入されたコマーシャルの開始信号と終了信号を検知して、前記計時処理部が前記開始時刻と終了時刻を計時し、これをもとにＣＭ検出処理部がコマーシャル時間を算出してメモリに記憶させ、前記計時処理部がカウントしたコマーシャルの開始時刻をコマーシャル時間の報知時刻として前記制御部に伝達し、報知処理部が文字報知と音声報知を制御してコマーシャル時間を文字又は音声などにより報知させることが出来るので、放送信号に挿入されたコマーシャルの開始と終了を検出し算出されたコマーシャル時間を文字又は音声などにより視聴者に報知させることが出来る。
【００１７】
請求項２の発明によれば、前記マイコンには、各放送局の番組データをＥＰＧデータから入手して制御し、且つＥＰＧデータに含まれるコマーシャル情報を抽出するデータ検出処理部を備え、このデータ検出処理部と前記報知処理部によりコマーシャル時間を報知するように構成したことにより、前記マイコン内に備えたデータ検出処理部により、各放送局の番組データをＥＰＧデータから入手して制御し、ＥＰＧデータに含まれるコマーシャル情報を抽出して、このデータ検出部と前記報知処理部によりコマーシャル時間を報知することが出来るので、前記ＥＰＧデータに基づくコマーシャル時間を文字又は音声などにより視聴者に報知させることが出来る。
【００１８】
請求項３の発明によれば、前記ＣＭ検出処理部は、前記計時処理部からのデータに基づいて所定の期間における視聴者の視聴時間帯や視聴時間など、視聴者の嗜好に基づいて累積した視聴番組のコマーシャル時間データを算出し、これをコマーシャル時間として報知することにより、前記計時処理部からのデータに基づいて、前記ＣＭ検出処理部は所定の期間における視聴者の視聴時間帯や視聴時間など、視聴者の嗜好に基づいて累積した視聴番組のコマーシャル時間データを算出し、これをコマーシャル時間として報知することが出来るので、コマーシャル時間は前記放送信号に挿入されたコマーシャルの開始信号と終了信号に基づくコマーシャル時間と、前記ＥＰＧデータに基づくコマーシャル時間のほかに、視聴者の嗜好に基づく実績データから得られるコマーシャル時間を文字又は音声などにより視聴者に報知することが出来る。
【００１９】
請求項４の発明によれば、前記マイコン部には、センサにより前記電子機器の近傍に視聴者が居るか否かを検出するセンサ検出処理部を備え、該センサ検出処理部からのデータにより前記報知処理部が報知の制御を行なうことにより、前記センサ検出処理部が電子機器の近傍に視聴者が居るか否かを検出し、前記報知処理部が前記センサ検出処理部からのデータにより報知の制御を行なうことが出来るので、視聴者が電子機器の近傍から離れた時は、離れた場所からも視認可能な文字又は聴き取り可能な音声などにより視聴者に報知することが出来る。
【００２０】
請求項５の発明によれば、前記電子機器には録画再生機能を備えてあり、前記コマーシャル時間を記録媒体に記憶させると共に、前記記録媒体を再生する時はコマーシャルの度に前記コマーシャル時間を報知させることにより、前記電子機器に備えた録画再生機能は、前記コマーシャル時間を記録媒体に記憶させると共に、前記記録媒体を再生する時はコマーシャルの度に前記コマーシャル時間を報知させることが出来るので、前記録画再生機能を利用する時も前記コマーシャル時間を文字又は音声などにより視聴者に報知することが出来る。
【発明を実施するための最良の形態】
【００２１】
以上のように、本発明は、番組の途中に挿入されるコマーシャルを検出するなどにより得られるコマーシャル時間を視聴者に報知するものであるが、以下の実施例の説明においては、視聴者が本発明の電子機器であるテレビの前で視聴しているときはコマーシャル映像に邪魔にならない程度の大きさでコマーシャル時間を表示し、視聴者がテレビから離れたときは離れた場所からも視認可能な文字又は聴き取り可能な音声で報知するなどにより視聴者にコマーシャル時間を報知する。及び、録画再生装置により記録媒体にコマーシャル時間を記録して再生時に表示する。更にはコマーシャル時間が変動して曖昧なときは視聴者が視聴する時間帯などにおける累積データからコマーシャル時間を算出して表示する実施例について説明する。
【００２２】
以下、本発明を実施するための最良の形態としての実施例を図１〜図７により以下に説明する。もちろん、本発明は、その発明の趣旨に反さない範囲で、実施例において説明した以外のものに対しても容易に適用可能なことは説明を要するまでもない。
【実施例１】
【００２３】
図１は本発明における第一実施例を示すコマーシャル時間表示手段を備えＤＶＤ（Ｄｉｇｉｔａｌ  Ｖｅｒｓａｔｉｌｅ  Ｄｉｓｃ）装置を内蔵したテレビの概略の構成を示すブロック図である。また図２はテレビの概観を示す斜視図である。図３は番組視聴時にコマーシャル時間を検出して表示する手順を示すフローチャート図であり、図４はテレビの表示部にコマーシャル時間表示例を示す図である。続いて図５はコマーシャル中にチャンネル切換えを行なった時の手順を示すフローチャート図であり、図６は視聴者をセンサで検出して音声報知を行う手順を示すフローチャート図である。
【００２４】
図１により、コマーシャル時間の表示を可能とするＤＶＤ装置を備えたデジタルテレビの概略の構成について説明する。図１に示すテレビ１にはアンテナ２で受信した放送電波を映像音声信号に処理するチューナー３と、前記映像音声信号を表示可能に処理する映像音声処理部４と、前記処理された映像信号と音声信号を映像と音声に出力する表示部５のブラウン管、及びスピーカー６と、受信した番組放送を図示しないＤＶＤディスクに録画再生するＤＶＤ装置７と、テレビ１の内部を制御すると共にコマーシャル時間Ｔの報知処理を行なうマイコン８と、該マイコン８の初期値やテレビ１のチャンネルや音声など各データを記憶するＥＥＰＲＯＭ（Ｅｌｅｃｔｒｉｃａｌｌｙ  Ｅｒａｓａｂｌｅ  ＰＲＯＭ）などの不揮発性メモリ９とを備えており、前記マイコン８には、リモコン送信機１０又は前記テレビ１本体に配置された本体操作キー１２からの各キーコード入力の受付処理を行なうと共に各キーコードを判別して制御部２１に伝達するキー処理部１７と、該キー処理部１７からのデータに従いテレビ１全体の動作制御やマイコン８内の各処理部１４、１５、１６、１７、１８、２０及び表示制御部１９の制御など全ての動作をＣＰＵ（Ｃｅｎｔｒａｌ  Ｐｒｏｃｅｓｓｉｎｇ  Ｕｎｉｔ）により制御する制御部２１と、受信した映像信号や音声信号の中からランレングス・リミテッド  コードなどによるＣＭ  ＩＤデータを検出してコマーシャルを受信しているか否かをも検出すると共に計時処理部１８とあわせてコマーシャル時間Ｔを算出して前記不揮発性メモリ９に記憶させ、これらコマーシャルデータを表示制御部１９に伝達するＣＭ検出処理部１４と、各放送局の番組データをＥＰＧ（Ｅｌｅｃｔｒｉｃ  Ｐｒｏｇｒａｍ  Ｇｕｉｄｅ）データから入手して制御し、且つＥＰＧデータに含まれるコマーシャル情報を取り出して前記表示制御部１９に伝達するデータ検出処理部１５と、人感センサ１３により前記テレビ１の近傍に視聴者が居るか否かを検出して前記表示制御部１９と報知制御部２０に伝達するセンサ検出処理部１６と、常に現在時刻を計時すると共にテレビ１の各動作時間をカウントし、前記ＣＭ検出処理部１４とあわせてコマーシャル時間Ｔや視聴者の番組嗜好傾向を把握する為のデータを算出及びカウントして前記不揮発性メモリ９に記憶する計時処理部１８と、前記センサ検出処理部１６からのデータにより音声報知の制御や、表示制御部１９に対して表示文字の制御を行なう報知処理部２０と、各処理部１４、１５、１６、１７、１８、２０及び不揮発性メモリ９からのデータによりＯＳＤ表示やメニュー画面表示及び映像表示など各表示の処理とこれらの制御を行なう表示制御部１９とを備えている。
【００２５】
続いて図２により、ＤＶＤ装置を内蔵したテレビの外観について説明する。図２に示すテレビ１の前面には表示部５が配置され、その左右にはスピーカー６が配置されている。また、前記表示部５の左上には人感センサ１３が配置されており、テレビ１の近傍に視聴者がいるか否かを検出可能としている。また、表示部５の下方には左側に電源キー２２とリモコン受光部１１が、略中央にはＤＶＤ装置７が、右側には本体キー操作部１２がそれぞれ配置されている。これにより、視聴者はリモコン送信機１０のキー操作、またはテレビ１の本体キー操作部１２を操作して受信したテレビ放送番組を視聴する、またはＤＶＤ装置７で録画した番組を再生して視聴することが出来る。
【００２６】
次に、図３及び図４により、番組視聴開始時にコマーシャル時間を検出して表示する手順を示すフローについて説明する。図３において、視聴者が図２に示すテレビ１の電源キー２２を操作し、リモコン送信機１０により視聴する番組を指定することでＳ−１により番組視聴が開始される。続いて、視聴者が番組放映中にコマーシャル時間Ｔをテレビ１の表示部５に表示させるか否かをＳ−２により選択し、「ＹＥＳ」であればＳ−３によりリモコン送信機１０または本体キー操作部１２に配置された図示しない「ＣＭ時間表示キー」を操作してコマーシャル時間Ｔの表示を指示する。或いはＳ−４により前記リモコン送信機１０または本体キー操作部１２を操作してテレビ１の表示部５に表示される図４ａに示すメニュー画面を表示させ、「ＣＭ設定」の表示を選択し、次に表示される図４ｂの「ＣＭカウント表示」画面から「ＯＮ」または「ＯＦＦ」を選択する。前記Ｓ−２で「ＮＯ」を選択すれば、Ｓ−１２によりコマーシャル時間Ｔの表示は「ＯＦＦ」となりコマーシャル時間Ｔの表示はされない。前記Ｓ−３またはＳ−４でコマーシャル時間Ｔの表示を指示された後は、Ｓ−５により継続して表示部５に映し出されている画面が番組放映であるかコマーシャルの放映であるかが図１に示すＣＭ検出処理部１４により次のように検出される。前記ＣＭ検出処理部１４が映像信号や音声信号においてコマーシャルの先頭に付加されたＣＭ  ＩＤデータを検出するとコマーシャルの放映が開始されたと検出し、コマーシャルの最後に付加されたＣＭ  ＩＤデータを検出するとコマーシャル時間Ｔの終了と検出する。又は、ＥＰＧから入手可能なコマーシャルデータや、音声信号のステレオ音声とモノラル音声の切り換わり、映像信号で映像ミュート信号の有無などでもコマーシャルの開始と終了を検出する。これにより、Ｓ−５においてコマーシャルが検出されたとして「ＹＥＳ」となり、Ｓ−６によりＥＰＧデータなどからコマーシャル時間Ｔデータを入手したか否かが確認され、既に入手済みであれば「ＹＥＳ」となりＳ−１１によりコマーシャル放映と同時にテレビ１の表示部５にコマーシャル時間Ｔが表示される。ここで若しもコマーシャル時間Ｔデータが入手されていなければコマーシャル時間Ｔを算出する必要があるため、Ｓ−７により１回目のコマーシャルであるか２回目以降のコマーシャルであるかがコマーシャル検出処理部１４によりカウントされる。ここでは１回目のコマーシャルであり「ＹＥＳ」となるので、Ｓ−８によりＣＭ検出処理部１４がコマーシャル時間Ｔの開始を検出し計時処理部１８が計測を開始する。１回目のコマーシャルが終了すると前記Ｓ−５に戻り、またコマーシャルが放映されているか否かが検出される。Ｓ−５において「ＮＯ」であり番組放映がされていれば、Ｓ−９によりＳ−８から計時処理部１８で測定開始されたコマーシャルの所要時間Ｔが算出され、算出が終了すればＳ−９では「ＹＥＳ」となりＳ−１０によりこのコマーシャル時間Ｔのデータは表示制御部１９に伝達されると共に不揮発メモリ９に記憶される。また、既にＳ−９によるコマーシャル時間Ｔの算出が済んでいる場合は、Ｓ−９では「ＮＯ」となり、Ｓ−５に戻り、またコマーシャルが放映されているか��かが検出される。Ｓ−１０においてコマーシャル時間Ｔの算出が終了すれば同様にＳ−５に戻り、現在コマーシャルが放映されているか否かが検出される。
【００２７】
前記Ｓ−７で２回目以降のコマーシャルであるとカウントされれば、Ｓ−１１により、コマーシャル放映と同時にテレビ１の表示部５には、図４ｃに示すように「ＣＭ中」の表示と、前記Ｓ−１０で算出した一回目のコマーシャル時間Ｔの残り時間をカウントダウンしながら「ＣＭカウント：２７秒」と表示される。この「ＣＭカウント」の時間単位は、コマーシャル時間Ｔが１分以上のとき、例えば９０秒であれば１分３０秒と表示しても良い。この後、コマーシャル時間Ｔが終了する、即ちＳ−１２において「Ｔ＝０」であるか否かに対して「ＹＥＳ」となるとＳ−１３によりコマーシャル時間Ｔの表示は「ＯＦＦ」となる。また、前記Ｓ−１１においては、ＣＭ検出処理部１４で検出され、該ＣＭ検出処理部１４と計時処理部１８とによって算出されたコマーシャル時間Ｔを表示制御部１９によりＯＳＤ表示可能に処理され、クロマ（ＣＨＲＯＭＡ）ＩＣやＭＰＥＧ  ＩＣを含む映像音声処理部４にて付与され表示部５に表示される。
【００２８】
次に図５により、コマーシャル時間Ｔ中に視聴者がチャンネル切換えを行なった時の手順を説明する。図５に示すＣ−１では、前述の図３により開始したＣＨ１の番組を継続して視聴しており、コマーシャル時間ＴにおいてはＣＨ１のコマーシャル時間Ｔが表示されている状態である。このコマーシャル時間Ｔ中に他チャンネルであるＣＨ２の番組放映を視聴してみようとＣ−２により視聴者がチャンネルをＣＨ２に切換えると、今まで視聴していたＣＨ１のチャンネル情報が不揮発メモリ９に記憶されると共にＣＨ１のコマーシャル時間Ｔが記憶されていたデータも消去されないまま保持される。次にＣ−４において切換えられたＣＨ２の番組放映が開始されるが、Ｃ−５に示すようにＣＨ２の番組放映とオーバーラップして今まで視聴していたＣＨ１のコマーシャル時間Ｔの表示は継続して表示されている。Ｃ−６に至りコマーシャル時間Ｔの残り時間がなくなり「Ｔ＝０」となると、Ｃ−７により報知処理部２０に制御されて表示制御部１９は画面に「元のチャンネルに戻すか」「現チャンネルのままか」などと表示部５に文字表示（図示略）して、元のチャンネルＣＨ１に戻すか、切換えたチャンネルＣＨ２のままにするかの選択を視聴者に報知することにより促す。続いてＣ−８によりＣＨ１のコマーシャル時間Ｔの表示は消えて、Ｃ−９により視聴者が元のチャンネルＣＨ１に戻したかをＣ−３で記憶させた不揮発メモリ９のチャンネルＣＨ１データとリモコン送信機１０のチャンネル入力番号を照合して判断し、［ＹＥＳ］であればＣ−１０により元のチャンネルＣＨ１の番組の視聴に切り換え、再度コマーシャルが放映されればコマーシャル時間Ｔを表示する。また、Ｃ−９で「ＮＯ」となったときは、Ｃ−１１により切換えられたチャンネルＣＨ２の１回目のコマーシャル時間Ｔの測定と算出が行なわれる。
【００２９】
続いて図６により、視聴者の有無をセンサで検出して音声報知を行う手順について説明する。図６におけるコマーシャル時間Ｔの検出は、前述の図３及び図５と同様にデータ検出処理部１５によりＥＰＧデータから各放送局の番組データを入手してコマーシャル情報を取り出して番組中に放映される複数のコマーシャル開始時刻とコマーシャル時間Ｔのデータを不揮発メモリ９に記憶させていると共に表示制御部１９に伝達するか、若しくは、最初のコマーシャル時間Ｔをカウントで算出して、コマーシャル時間Ｔを表示部５に表示させる方法であり、前述の図３により開始したＣＨ１の番組を継続して視聴しており、コマーシャル時間Ｔの測定と算出は終了している状態である。図２に示すテレビ１には人感センサ１３が配置されており、テレビ１の近傍に視聴者が居るか否かを検出している。テレビ１が番組放映中にもＨ−２で前記人感センサ１３により視聴者が居るか否かを検出され、Ｈ−３で視聴者が居ないときは「ＮＯ」であり、Ｈ−４により番組放映中であれば音声報知は「ＯＦＦ」となる。また、Ｈ−５でコマーシャルの開始時刻になると、Ｈ−６によりコマーシャル時間Ｔが表示され、Ｈ−７によりコマーシャル時間Ｔが「Ｔ＝０」もしくはＴ＝０の所定時間前であるかが確認される。ここで「ＮＯ」であればＨ−６に戻りコマーシャル時間Ｔの表示は継続される。しかし、コマーシャル時間Ｔを利用して視聴者がテレビ１から離れて用事を行うこともあり、「Ｔ＝０」もしくはＴ＝０の所定時間前で、Ｈ−８で前記人感センサ１３により視聴者が居るか否かを検出され、視聴者が離れて居なくなり「ＮＯ」となるとＨ−９により音声により「ＣＭカウント５秒」と報知してテレビ１の表示が見えないところでも聴き取り可能に報知する、もしくは表示画面に図４ｄに示すように「ＣＭカウント５秒」と文字表示を拡大してテレビ１から離れたところからも視認可能に表示している。
【実施例２】
【００３０】
次に、本発明における第二実施例について説明する。本第二実施例はテレビに内蔵されたＤＶＤ装置を用いてＤＶＤディスクに録画を行なう際に前記コマーシャル時間を記録し、前記ＤＶＤディスクに録画された番組を再生するときに前記コマーシャル時間を表示する手順について説明する。
【００３１】
前記テレビ１に内蔵されたＤＶＤ装置７により、前記ＣＭ検出処理部１４により検出され、前記ＣＭ検出処理部１４と計時処理部１８により算出された１回目のコマーシャル時間Ｔを、２回目以降のコマーシャル時間Ｔの開始位置毎に表示可能とするように図示しないＤＶＤディスクのＴＯＣ情報に記録している。また、予め録画時にコマーシャル検出ごとにコマーシャル時間Ｔを算出しておき全てのコマーシャル時間をＴＯＣ録画情報の一部として記録しておいてもよい。
【００３２】
前記ＤＶＤディスクを再生する際は、前記ＴＯＣ情報に記録された１回目のコマーシャル時間Ｔを取り出して、２回目以降のコマーシャル時間Ｔに合わせて表示することにより視聴者に報知可能としている。これにより、前記ＤＶＤディスクに記録された録画番組を先頭から再生する時は２回目以降のコマーシャル時間Ｔから自動的に前記表示部５に表示させることが出来る。また、予めコマーシャル時間ＴがＴＯＣに記録されている場合は、１回目より対応したコマーシャル時間Ｔを自動的に前記表示部５に表示を行なう。この方法は前記ＤＶＤ装置７に限らず、図示しないＨＤＤ装置においても有効なコマーシャル時間表示手段である。
【実施例３】
【００３３】
次に、本発明における第三実施例について説明する。コマーシャル時間Ｔが曖昧な場合において、視聴者の視聴時間帯や視聴時間などの嗜好データを所定時間累積することにより、そのデータを前記不揮発性メモリ９に記憶させておき、番組視聴時に利用する方法である。
【００３４】
図７においては、日常において前述のようにコマーシャル時間Ｔの表示が視聴者により指示されて番組放映を行なったときのデータを、例えば１週間とか１０日とかの所定時間累積することにより、視聴者がいつも視聴する時間帯や視聴時間などの嗜好データとして前記不揮発メモリ９に記憶させておくことが出来る。これにより、番組中に挿入されるコマーシャル時間Ｔの１回目が１５秒であり２回目が３０秒であるとかにより２回目以降のコマーシャル時間Ｔが前記１回目のコマーシャル時間Ｔとずれることが多くコマーシャル時間Ｔが曖昧になった時は、前記不揮発メモリ９に蓄積された嗜好データの時間帯で放映される番組において、ＣＭ検出処理部１４が平均的なコマーシャル時間Ｔを算出して例えば２３秒と表示することが出来るので、前記３回目以降のコマーシャル時間Ｔは、前記平均的なコマーシャル時間Ｔを表示することが出来る。
【００３５】
以上のように本実施例によれば、本発明のコマーシャル時間報知手段を備えた電子機器は、ＤＶＤ装置７を内蔵したデジタルテレビ１の実施例において、ＣＭ検出処理部１４を備えたことにより、受信した映像信号や音声信号の中からＣＭ  ＩＤデータを検出してコマーシャルを受信しているか否かをも検出すると共に計時処理部１８とあわせてコマーシャル時間Ｔを算出して前記不揮発性メモリ９に記憶させることが出来る。また、前記データ検出処理部１５が各放送局の番組データをＥＰＧデータから入手して、該ＥＰＧデータに含まれるコマーシャル情報を取り出してコマーシャル時間Ｔを設定することが出来るので、前記コマーシャル時間ＴはＣＭ  ＩＤデータのみに依存することはない。また、これらコマーシャルデータをＣＭ検出処理部１４が表示制御部１９に伝達し、前記センサ検出処理部１６人感センサ１３により前記テレビ１の近傍に視聴者が居るか否かを検出して前記表示部５と報知制御部２０に伝達し、前記計時処理部１８が常に現在時刻を計時すると共にテレビ１の動作時間をカウントし、前記ＣＭ検出処理部１４とあわせてコマーシャル時間Ｔや視聴者の番組嗜好傾向を把握する為のデータを算出及びカウントして前記不揮発性メモリ９に記憶し、前記報知処理部２０が前記センサ検出処理部１６からのデータにより音声報知の制御や、表示制御部１８に対して表示文字の制御を行なうと、各処理部１４、１５、１６、１７、１８、２０及び不揮発性メモリ９からのデータによりＯＳＤ表示やメニュー画面表示及び映像表示など各表示の処理とこれらの制御を表示制御部１９が行なうことが出来るので、番組放映中に挿入されて放映されるコマーシャルのコマーシャル時間Ｔを表示部５に文字表示することが出来ると共に音声による報知を行なうことが出来るので、視聴者は番組放映を視聴しながら途中で用事を行なおうとするときは、前記表示部５に表示されるコマーシャル時間Ｔを確認してから用事を行うことが出来る。また、用事を行なうためにテレビ１から離れてしまったときは、テレビ１の人感センサ１３が検知して前記コマーシャル時間Ｔの残り時間の文字表示を拡大して表示する。或いは音声が報知してくれるので、前記テレビ１から離れていてもコマーシャル時間Ｔを把握しながら用事を行なうことが出来る。同様に、コマーシャル時間Ｔを利用して他チャンネルＣＨ２の番組を視聴するときも、今まで視聴していたチャンネルＣＨ１のコマーシャル時間Ｔを表示することが出来るので、前記コマーシャル時間Ｔが終了する前に、元のチャンネルＣＨ１の番組放映の視聴に戻ることが出来るのでコマーシャル時間Ｔが終了して再開された番組放映の最初を見逃してしまうことを減らすことが出来る。また、コマーシャル時間Ｔの終了時にはチャンネルを他チャンネルＣＨ２に切換えてあることを報知することが出来るので、視聴者は今まで視聴していたチャンネルＣＨ１の番組に戻すか、或いは新規に視聴し始めた他チャンネルＣＨ２の番組の視聴を継続するかを、タイミングを逃すことなく判断することが出来るので視聴者の使い勝手を大幅に向上させることが出来る。
【００３６】
また、前記テレビ１に内蔵されたＤＶＤ装置７により、前記ＣＭ検出処理部１４により検出され、前記ＣＭ検出処理部１４と計時処理部１８により算出された１回目のコマーシャル時間Ｔを、２回目以降のコマーシャル時間Ｔの開始位置毎に表示可能とするように図示しないＤＶＤディスクのＴＯＣ情報に記録することが出来る。また、前記ＤＶＤディスクを再生する際は、前記ＴＯＣ情報に記録された１回目のコマーシャル時間Ｔを取り出して、２回目以降のコマーシャル時間Ｔに合わせて表示することにより視聴者に報知可能としている。これにより、前記ＤＶＤディスクに記録された録画番組を先頭から再生する時は２回目以降のコマーシャル時間Ｔから自動的に前記表示部５に表示させることが出来るので、本実施例によるＤＶＤ装置を内蔵したテレビ１で録画したＤＶＤディスクを再生して視聴するときはコマーシャル時間Ｔ内で安心して用事を行なうことが出来ると共に、再開された録画番組の最初を見逃してしまうことを防止することが出来る。
【００３７】
また日常において、前述のようにコマーシャル時間Ｔの表示が視聴者により指示されて番組放映を行なったデータを所定時間累積することにより、視聴者がいつも視聴する時間帯や視聴時間などの嗜好データとして前記不揮発メモリ９に記憶させておくことが出来る。これにより、番組中に挿入されるコマーシャル時間Ｔの１回目が１５秒であり２回目が３０秒であるとかにより２回目以降のコマーシャル時間Ｔが前記１回目のコマーシャル時間Ｔとずれることが多くコマーシャル時間Ｔが曖昧になった時は、前記不揮発メモリ９に蓄積された嗜好データの時間帯で放映される番組においては、ＣＭ検出処理部１４が平均的なコマーシャル時間Ｔを算出して表示することが出来るので、前記３回目以降のコマーシャル時間Ｔは、前記平均的なコマーシャル時間Ｔを表示することが出来るので、コマーシャル時間Ｔが曖昧な時も累積された視聴者の嗜好データに基づくコマーシャル時間Ｔを報知することが出来る。更に、本実施例によるコマーシャル時間Ｔを報知することが出来るテレビ１はブラウン管を備えたデジタルテレビであるが、アナログテレビでもよい。また、ブラウン管型に限らず、液晶型、プラズマ型、及びリアプロジェクション型などの表示部でもよい。また、内蔵した記録再生装置はＤＶＤ装置７に限らずＨＤＤ装置でも可能であるが、前記コマーシャル時間Ｔの報知機能を備えたテレビ１には必ずしも前記記録再生装置が内蔵されている必要はない。
【００３８】
以上、本実施例を詳述したが、本発明は、前記実施例に限定されるものではなく、本発明の要旨の範囲内で種々の変形実施が可能である。例えば、テレビ１本体内に配置された映像音声処理部４や不揮発性メモリ９、及びマイコン８に配置された各処理部や制御部における個別の機能は前記特定の各処理部や制御部、およびＥＥＰＲＯＭに限定されず、他の処理部や制御部がその機能を分担、或いは統合して行なうことが可能な状態であればよく、また、テレビ１における人感センサ１３やＤＶＤ装置７などの配置は前記テレビ１における使い易さを配慮して位置を変更するなど、適宜選定すればよい。
【図面の簡単な説明】
【００３９】
【図１】本発明の第一実施例を示すコマーシャル時間表示手段を備え、ＤＶＤ装置を内蔵したテレビの概略の構成を示すブロック説明図である。
【図２】本発明におけるテレビの概観を示す斜視説明図である。
【図３】本発明における番組視聴時にコマーシャル時間を検出して表示する手順を示すフローチャート説明図である。
【図４】本発明におけるテレビの表示部にコマーシャル時間表示例を示す説明図である。
【図５】本発明におけるコマーシャル中にチャンネル切換えを行なった時の手順を示すフローチャート説明図である。
【図６】本発明における視聴者をセンサで検出して音声報知を行う手順を示すフローチャート説明図である。
【図７】本発明の第三実施例におけるコマーシャル時間が曖昧な状態を示すタイムチャート説明図である。
【符号の説明】
【００４０】
１          テレビ
３          チューナー
４          映像音声処理部
７          ＤＶＤ装置
８          マイコン
９          不揮発性メモリ
１０        リモコン送信機
１１        リモコン受光部
１２        本体操作キー
１３        人感センサ
１４        ＣＭ検出処理部
１５        データ検出処理部
１６        センサ検出処理部
１７        キー処理部
１８        計時処理部
２０        報知処理部
２１        制御部
【図１】
2006180114.tif 000003
【図２】
2006180114.tif 000004
【図３】
2006180114.tif 000005
【図４】
2006180114.tif 000006
【図５】
2006180114.tif 000007
【図６】
2006180114.tif 000008
【図７】
2006180114.tif 000009